(57)【特許請求の範囲】
【請求項１】
サブアドレス信号又は選択ポーリング信号の情報と複数個の処理機能の種類を対応して記憶する第１の記憶手段と、記憶されたサブアドレス信号又は選択ポーリング信号の情報に対応して画像データを記憶するメモリボックスを備えた第２の記憶手段と、指示信号に応答して第１の記憶手段に記憶された処理機能を実行する制御手段とを備えたことを特徴とする通信端末装置。
【請求項２】
上記複数個の処理機能は、選択ポーリングの掲示板機能と、中継同報配信機能であることを特徴とする請求項１記載の通信端末装置。
【請求項３】
上記複数個の処理機能は、親展機能と、中継同報配信機能であることを特徴とする請求項１記載の通信端末装置。
【発明の詳細な説明】
【０００１】
【発明の属する技術分野】
本発明は、ＩＴＵ−Ｔ勧告で規定されたファクシミリ手順信号（以下、Ｆコードという。）を用いて掲示板機能、親展機能、中継同報配信機能などを含む各種機能（以下、Ｆコード機能という。）を実行する通信端末装置に関する。
【０００２】
【従来の技術】
近年、ＩＴＵ−Ｔ勧告で規定された、サブアドレス信号（ＳＵＢ）、選択ポーリング信号（ＳＥＰ）、パスワード信号（ＰＷＤ）などのＦコードを用いて掲示板機能、親展機能、中継同報配信機能などを含む各種のＦコード機能を実行するファクシミリ装置が実用化されており、これにより、従来、非標準のファクシミリ信号を用いて上記の機能を実現していたファクシミリ装置に比較して各メーカーのファクシミリ装置間での上記の機能を実行でき、ファクシミリ装置の互換性を向上させることができる。
【０００３】
上記のＦコード機能の実行のために、ファクシミリ装置の画像メモリに、選択ポーリング送信又は選択ポーリング受信するための掲示板用、親展用、及び中継同報配信用の画像データを格納するための領域として、複数のメモリボックスが番号を割り付けられた状態で設けられる。
【０００４】
選択ポーリングの掲示板機能では、相手先のファクシミリ装置から、例えば、選択ポーリング用の画像データが送信されてきたとき、その画像データが画像メモリの所定番号のメモリボックスに格納され、その後、当該ファクシミリ装置において、メモリボックス番号の指定及びパスワードの入力に基づき、指定された番号のメモリボックスに格納されている画像データが印字出力される。また、例えば、相手先のファクシミリ装置から、選択ポーリング用のメモリボックス番号の指定及びパスワードのデータが送信されてきたときに、そのパスワードの認証に基づき、対応するメモリボックスの格納された画像データが相手先のファクシミリ装置に送信される。
【０００５】
また、親展機能においては、相手先のファクシミリ装置から親展用の画像データが送信されてきたとき、その親展用画像データが上記画像メモリの所定番号のメモリボックスに格納され、その後、当該ファクシミリ装置において、メモリボックス番号の指定及びパスワードの入力に基づき、指定された番号のメモリボックスに格納されている画像データが印字出力される。
【０００６】
さらに、中継同報配信機能においては、中継依頼元の相手先のファクシミリ装置から中継同報配信用の画像データが送信されてきたとき、その中継同報配信用画像データが上記画像メモリの所定番号のメモリボックスに格納され、その後、当該ファクシミリ装置から予め登録された複数の中継同報配信先のファクシミリ装置に順次送信される。
【０００７】
【発明が解決しようとする課題】
しかしながら、メモリボックスを有するファクシミリ装置に対して別のファクシミリ装置からＦコード機能を実行するとき、Ｆコードを用いて掲示板機能、親展機能、中継同報配信機能のうち１つの機能しか指定して実行することができず、複数の機能を実行するときは、複数回の送信が必要であり、非効率であるという問題点があった。
【０００８】
本発明の目的は以上の問題点を解決し、１回の送信でＦコードを用いて複数の機能を実行することができる通信端末装置を提供することにある。
【０００９】
【課題を解決するための手段】
本発明に係る請求項１記載の通信端末装置は、サブアドレス信号又は選択ポーリング信号の情報と複数個の処理機能の種類を対応して記憶する第１の記憶手段と、記憶されたサブアドレス信号又は選択ポーリング信号の情報に対応して画像データを記憶するメモリボックスを備えた第２の記憶手段と、指示信号に応答して第１の記憶手段に記憶された処理機能を実行する制御手段とを備えたことを特徴とする。
【００１０】
また、請求項２記載の通信端末装置は、請求項１記載の通信端末装置において、上記複数個の処理機能は、選択ポーリングの掲示板機能と、中継同報配信機能であることを特徴とする。
【００１１】
さらに、請求項３記載の通信端末装置は、請求項１記載の通信端末装置において、上記複数個の処理機能は、親展機能と、中継同報配信機能であることを特徴とする。
【００１２】
【発明の実施の形態】
以下、図面を参照して本発明に係る実施形態について説明する。
【００１３】
＜実施形態＞
図１は、本発明に係る実施形態である、Ｆコード機能を有するファクシミリ装置２０の構成を示すブロック図である。この実施形態のファクシミリ装置においては、メモリボックス番号毎に画像データを記憶する画像メモリ８を備え、図２に示すように、サブアドレス信号（ＳＵＢ）又は選択ポーリング信号（ＳＥＰ）の情報と、それに対応してＦコード機能のうちの１個又は２個の処理機能の種類をＲＡＭ７内のメモリボックス登録テーブル７ａに、メモリボックス８ａのメモリボックス番号毎に記憶し、相手先のファクシミリ装置からのＦコードを用いたＦコード機能の指示信号に応答して、メモリボックス登録テーブル７ａに記憶された１個又は２個の処理機能を実行することを特徴としている。ここで、２個の処理機能は、選択ポーリングの掲示板機能における選択ポーリング受信と、中継同報配信機能の組み合わせ、もしくは、親展機能の親展受信と、中継同報配信機能の組み合わせである。
【００１４】
図１において、ファクシミリ装置２０は、従来のＧ３方式等のファクシミリ通信機能を備えるとともに、Ｆコード機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１５】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１６】
ＲＯＭ６は、当該ファクシミリ装置２０の動作に必要であって主制御部１によって実行される種々のソフトウェアのプログラムを予め格納し、ここで、当該プログラムは、少なくとも図３の登録処理及び図４乃至図８の着信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶するとともに、例えば、図２の形式を有するメモリボックス登録テーブル７ａを備える。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶し、ここで、Ｆコード機能用画像データを格納するためにメモリボックス番号毎に区分されたメモリボックス８ａを備える。なお、ＲＡＭ７及び画像メモリ８をハードディスクメモリで構成してもよい。
【００１７】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１８】
以上のように構成された本実施形態のファクシミリ装置２０は、通常のＧ３方式等のファクシミリ通信機能に加えて、ＩＴＵ−Ｔ勧告で規定されたＦコードを用いて掲示板機能、親展機能、中継同報配信機能を含むＦコード機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１９】
図２は、図１のＲＡＭ７内のメモリボックス登録テーブル７ａの一例を示す図である。図２から明らかなように、メモリボックス８ａのメモリボックス番号毎には、サブアドレス（ＳＵＢ）又は選択ポーリング（ＳＥＰ）の情報、パスワード（ＰＷＤ）、Ｆコード機能の掲示板機能、親展機能、中継同報配信機能のうちどの処理機能が指定されたかを示すデータ（すなわち、処理機能の種類を示すデータ；ここで、１は指定、０は未指定である。）、画像メモリ８内のメモリボックス８ａにおけるメモリの開始アドレス（当該開始アドレスは、主制御部１により自動的に付与されて管理される。）が記憶される。この図２の例では、メモリボックス番号１に対して、中継同報配信機能と掲示板機能との２つの処理機能が指定され、メモリボックス番号２に対して、中継同報配信機能と親展機能との２つの処理機能が指定されている。
【００２０】
なお、中継同報配信機能に対応して、各メモリボックス番号毎に、中継同報配信先のファクシミリ番号がＲＡＭ７内の中継同報配信先テーブル（図示せず。）に予め登録されている。
【００２１】
図３は、図１のファクシミリ装置の主制御部１によって実行される登録処理を示すフローチャートである。図３において、ステップＳ１でメモリボックス８ａに登録するメモリがあるか否かが判断され、ＮＯのときはすぐに当該登録処理を終了する。ステップＳ１でＹＥＳのときは、ステップＳ２においてサブアドレス（ＳＵＢ）又は選択ポーリング（ＳＥＰ）の情報及びパスワード（ＰＷＤ）を入力し、ステップＳ３において当該メモリボックスの機能を以下から選択入力する。
（１）掲示板；
（２）親展；
（３）中継同報配信；
（４）掲示板及び中継同報配信；
（５）親展及び中継同報配信。
そして、ステップＳ４において入力されたデータをメモリボックステーブル７ａに格納して，当該登録処理を終了する。
【００２２】
なお、掲示板機能を利用する前には、メモリボックスに対してポーリング受信により、もしくは、ローカルの当該ファクシミリ装置の画像読取部５を用いて掲示板画像データを読み取って画像メモリ８のメモリボックスに予め格納させる必要がある。
【００２３】
図４乃至図８は、図１のファクシミリ装置の主制御部１によって実行される着信処理を示すフローチャートである。
【００２４】
図４において、まず、ステップＳ１０において着信信号を検出したか否かが判断され、ＹＥＳになるまでステップＳ１０の処理を繰り返し、ＹＥＳのときにステップＳ１１においてＤＣＳ信号を検出したか否かが判断され、次いで、ステップＳ１２においてＤＴＣ信号を検出したか否かが判断される。ここで、ステップＳ１１でＮＯかつステップＳ１２でＮＯのときは、ステップＳ１３においてＤＣＮ信号を送信した後、ステップＳ１４において回線開放して当該着信処理を終了する。また、ステップＳ１１でＹＥＳのときはステップＳ１５に進み、さらに、ステップＳ１１でＮＯでかつステップＳ１２でＹＥＳのときは図５のステップＳ２１に進む。
【００２５】
ステップＳ１５においてＮＳＳ，ＴＳＩ，ＳＵＢ，ＰＷＤ信号を受信してＲＡＭ７内の一時メモリ（図示せず。）に格納し、ステップＳ１６においてＳＵＢ信号を検出したか否かが判断され、ＮＯのときは、ステップＳ１７で通常のファクシミリ通信処理を実行した後、ステップＳ１８で回線開放して当該着信処理を終了する。一方、ステップＳ１６でＹＥＳのときは、ステップＳ１９においてパスワード（ＰＷＤ）がＳＵＢ信号のサブアドレスに対応しメモリボックス登録テーブル７ａに登録されたパスワードと一致するか否かを検索し、ステップＳ２０においてパスワードが一致したか否かが判断される。ステップＳ２０でパスワードが一致したとき、図６のステップＳ３１に進む一方、一致しないとき、ステップＳ１３においてＤＣＮ信号を送信した後、ステップＳ１４において回線開放して当該着信処理を終了する。
【００２６】
図５のステップＳ２１において、ＮＳＳ，ＣＩＧ，ＳＥＰ，ＰＷＤ信号を受信してＲＡＭ７内の一時メモリに格納した後、ステップＳ２２においてＳＥＰ信号を検出したか否かが判断され、ＳＥＰ信号を検出しないときは、ステップＳ２３において、相手先のファクシミリ装置に対して送信してきた所定のインデックス番号に応じた画像データを送信する所定のポーリング送信処理を実行した後、ステップＳ２９で回線開放して当該着信処理を終了する。
【００２７】
一方、ステップＳ２２でＹＥＳのときは、ステップＳ２４においてパスワード（ＰＷＤ）が、ＳＥＰ信号に対応しメモリボックス登録テーブル７ａに登録されたパスワードと一致するか否かを検索した後、ステップＳ２５においてパスワードが一致したか否かが判断され、次いで、ステップＳ２６においてメモリボックスの機能は掲示板か否かが判断される。ここで、ステップＳ２５又はＳ２６でＮＯであるときは、ステップＳ２７でＤＣＮ信号を送信し、ステップＳ２９で回線開放して当該着信処理を終了する。一方、ステップＳ２５でＹＥＳかつステップＳ２６でＹＥＳのときは、ステップＳ２８において、ＳＥＰ信号内の選択ポーリングの情報に対応したメモリボックス番号に格納された掲示板原稿の画像データを相手先のファクシミリ装置に送信する処理を実行した後、ステップＳ２９で回線開放して当該着信処理を終了する。
【００２８】
図６のステップＳ３１においてメモリボックスの機能は掲示板か否かが判断され、次いで、ステップＳ３２においてメモリボックスの機能は中継同報配信か否かが判断される。ここで、ステップＳ３１でＮＯであるときは、図７のステップＳ４１に進む。また、ステップＳ３１及びＳ３２でともにＹＥＳのときは、掲示板機能の処理のみを実行するために、ステップＳ３３に進む。さらに、ステップＳ３１でＹＥＳであるが、ステップＳ３２でＮＯのときは、掲示板機能及び中継同報配信機能を実行するために、ステップＳ３８に進む。
【００２９】
ステップＳ３３では、相手先のファクシミリ装置から画像データを受信した後、ステップＳ３４において回線開放し、ステップＳ３５において受信した画像データを、対応するメモリボックスに掲示板画像データとして格納し、ステップＳ３６に進む。一方、ステップＳ３８では、相手先のファクシミリ装置から画像データを受信した後、ステップＳ３９において回線開放する。次いで、ステップＳ４０において受信した画像データを、対応するメモリボックスに掲示板画像データとして格納した後、ステップＳ４１において受信した画像データを中継同報配信で登録されている各配信先に送信し、ステップＳ３６に進む。ステップＳ３６では、掲示板機能において画像データの格納と同時にその画像データの画像を印字する同時印字モードが設定されているか否かが判断され、設定してときのみステップＳ３７で受信した画像データの画像を画像記録部３を用いて印字して当該着信処理を終了する。
【００３０】
図７のステップＳ５１においてメモリボックスの機能は親展か否かが判断され、次いで、ステップＳ５２においてメモリボックスの機能は中継同報配信か否かが判断される。ここで、ステップＳ５１でＮＯであるときは、図８のステップＳ６１に進む。また、ステップＳ５１及びＳ５２でともにＹＥＳのときは、親展機能の処理のみを実行するために、ステップＳ５３に進む。さらに、ステップＳ５１でＹＥＳであるが、ステップＳ５２でＮＯのときは、親展機能及び中継同報配信機能を実行するために、ステップＳ５６に進む。
【００３１】
ステップＳ５３では、相手先のファクシミリ装置から画像データを受信した後、ステップＳ５４において回線開放し、ステップＳ５５において受信した画像データを、対応するメモリボックスに親展画像データとして格納し、当該着信処理を終了する。一方、ステップＳ５６では、相手先のファクシミリ装置から画像データを受信した後、ステップＳ５７において回線開放する。次いで、ステップＳ５８で受信した画像データを、対応するメモリボックスに親展画像データとして格納した後、ステップＳ５９において受信した画像データを中継同報配信で登録されている各配信先に送信し、当該着信処理を終了する。
【００３２】
図８のステップＳ６１においてメモリボックスの機能は中継同報配信か否かが判断され、ＹＥＳのときは、ステップＳ６２において画像データを受信し、ステップＳ６３において回線開放した後、ステップＳ６４において受信した画像データを中継同報配信で登録されている各配信先に送信し、当該着信処理を終了する。一方、ステップＳ６１でＮＯであるときは、ステップＳ６５においてＤＣＮ信号を送信して当該着信処理を終了する。
【００３３】
図９は、図１のファクシミリ装置２０が中継同報配信及び掲示板機能を実行したときの動作例を示すブロック図である。図９の例では、メモリボックス８ａが中継同報配信及び掲示板機能に予め登録されているものとする。ここで、中継依頼元のファクシミリ装置３０が、ファクシミリ装置２０に対して、中継同報配信機能の指示信号とともに、Ｆコードとして、サブアドレス（ＳＵＢ）及びパスワード（ＰＷＤ）を送信するとともに、画像データを送信したとき、ファクシミリ装置２０は受信した画像データを掲示板画像データとしてメモリボックス８ａに格納するとともに、予め登録されている中継配信先のファクシミリ装置４０−１，４０−２，４０−３に対して中継同報送信する。一方、別のファクシミリ装置５０が、ファクシミリ装置２０に対して、掲示板機能のポーリング受信の指示信号とともに、Ｆコードとして、選択ポーリング（ＳＥＰ）の情報及びパスワード（ＰＷＤ）を送信したとき、ファクシミリ装置２０はそれらのＦコードに対応した掲示板画像データをファクシミリ装置５０に対して送信する。従って、メモリボックス８ａは、中継同報配信機能及び掲示板機能のための画像メモリとして用いられ、ファクシミリ装置２０はそれらの機能を実行する。
【００３４】
図１０は、図１のファクシミリ装置２０が中継同報配信及び親展機能を実行したときの動作例を示すブロック図である。図１０の例では、メモリボックス８ａが中継同報配信及び親展機能に予め登録されているものとする。ここで、中継依頼元のファクシミリ装置３０が、ファクシミリ装置２０に対して、中継同報配信機能の指示信号とともに、Ｆコードとして、サブアドレス（ＳＵＢ）及びパスワード（ＰＷＤ）を送信するとともに、画像データを送信したとき、ファクシミリ装置２０は受信した画像データを親展画像データとしてメモリボックス８ａに格納するとともに、予め登録されている中継配信先のファクシミリ装置４０−１，４０−２，４０−３に対して中継同報送信する。一方、ローカルの当該ファクシミリ装置２０の操作部５を用いて親展受信の指示と、サブアドレス（ＳＵＢ）及びパスワード（ＰＷＤ）を入力したとき、ファクシミリ装置２０はそれらのＦコードに対応した親展画像データを画像記録部３を用いて印字することにより、親展受信された画像データを取り出すことができる。従って、メモリボックス８ａは、中継同報配信機能及び親展機能のための画像メモリとして用いられ、ファクシミリ装置２０はそれらの機能を実行する。
【００３５】
以上説明したように、本実施形態によれば、メモリボックス番号毎に画像データを記憶する画像メモリ８を備え、図２に示すように、サブアドレス信号（ＳＵＢ）又は選択ポーリング信号（ＳＥＰ）の情報と、それに対応してＦコード機能のうちの１個又は２個の処理機能の種類をＲＡＭ７内のメモリボックス登録テーブル７ａに、メモリボックス８ａのメモリボックス番号毎に記憶し、相手先のファクシミリ装置からのＦコードを用いたＦコード機能の指示信号に応答して、メモリボックス登録テーブル７ａに記憶された１個又は２個の処理機能を実行する。従って、選択ポーリングの掲示板機能と中継同報配信機能の組み合わせ、もしくは、親展機能と中継同報配信機能の組み合わせなど２個の処理機能を実行するために１回の送信ですみ、効率的に処理を実行でき、操作性を向上させることができるとともに、通信コストを大幅に削減できる。
【００３６】
ここで、選択ポーリングの掲示板機能と中継同報配信機能の組み合わせがメモリボックスに対応して登録されているとき、中継依頼元の操作者は、中継同報配信用原稿の画像データを、後にポーリング受信することによりその内容を確認することができる。また、親展機能と中継同報配信機能の組み合わせがメモリボックスに対応して登録されているとき、親展受信した原稿の画像データを中継送信できるので、中継機のファクシミリ装置においてその情報の秘密が守れるという特有の効果がある。
【００３７】
＜変形例＞
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【００３８】
【発明の効果】
以上詳述したように本発明に係る請求項１記載の通信端末装置によれば、サブアドレス信号又は選択ポーリング信号の情報と複数個の処理機能の種類を対応して記憶する第１の記憶手段と、記憶されたサブアドレス信号又は選択ポーリング信号の情報に対応して画像データを記憶するメモリボックスを備えた第２の記憶手段と、指示信号に応答して第１の記憶手段に記憶された処理機能を実行する制御手段とを備える。従って、選択ポーリングの掲示板機能と中継同報配信機能の組み合わせ、もしくは、親展機能と中継同報配信機能の組み合わせなど複数個の処理機能を実行するために１回の送信ですみ、効率的に処理を実行でき、操作性を向上させることができるとともに、通信コストを大幅に削減できる。
【００３９】
また、請求項２記載の通信端末装置によれば、請求項１記載の通信端末装置において、上記複数個の処理機能は、選択ポーリングの掲示板機能と、中継同報配信機能である。この場合、中継依頼元の操作者は、中継同報配信用原稿の画像データを、後にポーリング受信することによりその内容を確認することができる。
【００４０】
さらに、請求項３記載の通信端末装置によれば、請求項１記載の通信端末装置において、上記複数個の処理機能は、親展機能と、中継同報配信機能である。この場合、親展受信した原稿の画像データを中継送信できるので、中継機のファクシミリ装置においてその情報の秘密が守れるという特有の効果がある。
【図面の簡単な説明】
【図１】  本発明に係る実施形態である、Ｆコード機能を有するファクシミリ装置２０の構成を示すブロック図である。
【図２】  図１のＲＡＭ７内のメモリボックス登録テーブル７ａの一例を示す図である。
【図３】  図１のファクシミリ装置２０の主制御部１によって実行される登録処理を示すフローチャートである。
【図４】  図１のファクシミリ装置２０の主制御部１によって実行される着信処理の第１の部分を示すフローチャートである。
【図５】  図１のファクシミリ装置２０の主制御部１によって実行される着信処理の第２の部分を示すフローチャートである。
【図６】  図１のファクシミリ装置２０の主制御部１によって実行される着信処理の第３の部分を示すフローチャートである。
【図７】  図１のファクシミリ装置２０の主制御部１によって実行される着信処理の第４の部分を示すフローチャートである。
【図８】  図１のファクシミリ装置２０の主制御部１によって実行される着信処理の第５の部分を示すフローチャートである。
【図９】  図１のファクシミリ装置２０が中継同報配信及び掲示板機能を実行したときの動作例を示すブロック図である。
【図１０】  図１のファクシミリ装置２０が中継同報配信及び親展機能を実行したときの動作例を示すブロック図である。
【符号の説明】
１…主制御部、
２…画像読取部、
３…画像記録部、
４…表示部、
５…操作部、
６…ＲＯＭ、
７…ＲＡＭ、
７ａ…メモリボックス登録テーブル、
８…画像メモリ、
８ａ…メモリボックス、
１０…ファックスモデム、
１１…ＮＣＵ、
１３…バス、
２０…ファクシミリ装置、
３０…中継依頼元のファクシミリ装置、
４０−１，４０−２，４０−３…中継配信先のファクシミリ装置、
５０…ポーリング受信のファクシミリ装置、
Ｌ…公衆電話回線。
【図１】
0003807128.tif 000002
【図２】
0003807128.tif 000003
【図３】
0003807128.tif 000004
【図４】
0003807128.tif 000005
【図５】
0003807128.tif 000006
【図６】
0003807128.tif 000007
【図７】
0003807128.tif 000008
【図８】
0003807128.tif 000009
【図９】
0003807128.tif 000010
【図１０】
0003807128.tif 000011